(57)【特許請求の範囲】
【請求項１】
対物レンズによって形成された像を、正立像形成用の光学系を介して接眼レンズにより観察するファインダー光学系において、
前記接眼レンズは物体側から順に、１枚の負の屈折力のレンズからなる第１レンズ群、光軸方向に移動させることで視度補正を行う１枚の正の屈折力のレンズからなる第２レンズ群、正の屈折力の第３レンズ群からなり、
前記第３レンズ群は物体側から順に正の屈折力のレンズと、瞳側に凹面を向けた負メニスカスレンズから構成され、以下の条件式を満足することを特徴とするファインダー光学系。
（１）−１．１＜ｆ１／ｆ＜−０．６
（２）−４．０＜ｆ３ｎ／ｆ＜−１．２
但し、第１レンズ群の焦点距離をｆ１、第３群の負メニスカスレンズの焦点距離をｆ３ｎ、視度が−１ｐｔ時のファインダー光学系全系の焦点距離をｆとする。
【請求項２】
前記第３レンズ群の正レンズの物体側の面は非球面となっており、以下の条件式を満足することを特徴とする請求項１記載のファインダー光学系。
（３）−９．０＜Ｈｍａｘ／ｓａｇ３ｐ＜−５．０
但し、第３レンズ群の正レンズの非球面側の最大光線高をＨｍａｘ、正レンズの非球面側の最大光線高Ｈｍａｘでの近軸球面と非球面の光軸方向のズレ量をｓａｇ３ｐとする。
【請求項３】
前記第３レンズ群の負メニスカスレンズの物体側の面は非球面となっており、以下の条件式を満足することを特徴とする請求項１又は２記載のファインダー光学系。
（４）８．５＜Ｈｍａｘ/ｓａｇ３ｎ＜１２．０
但し、第３レンズ群の負メニスカスレンズの非球面側の最大光線高をＨｍａｘ、負メニスカスレンズの非球面側の最大光線高Ｈｍａｘでの近軸球面と非球面の光軸方向のズレ量をｓａｇ３ｎとする。
【請求項４】
前記接眼レンズを構成する各レンズはプラスチック材料により形成されることを特徴とする請求項１又は２又は３記載のファインダー光学系。
【発明の詳細な説明】
【技術分野】
【０００１】
本発明は、一眼レフレックスカメラ等の撮像装置に用いられるファインダー光学系に関するものである。
【背景技術】
【０００２】
従来より、一眼レフレックスカメラ等のファインダー光学系において、視度補正機構を搭載したものには、３群３枚や３群４枚のレンズ構成のものが知られている。また、ファインダー倍率を大きくしようとしたものや、アイレリーフ距離を十分長くとることを目的としたものが提案されている。
【先行技術文献】
【特許文献】
【０００３】
【特許文献１】特開２００９−２７１３８５号公報
【０００４】
【特許文献２】特許４２１２２９５号公報
【発明の概要】
【発明が解決しようとする課題】
【０００５】
一般にファインダー光学系の観察倍率を大きくするには、接眼レンズの焦点距離を短くすることが必要となる。また、一眼レフカメラのファインダー光学系では、一般的に接眼レンズの視度を−１ディオプトリーに設定することが必要となる為、被写体像が形成される焦点板から接眼レンズの主点位置までの光路長によって実質的な接眼レンズの焦点距離が決定される。
【０００６】
従って、ファインダー光学系の観察倍率を大きくするには、焦点板から接眼レンズの主点位置までの距離を短くすればよく、その為には、ペンタプリズムの光路長を短くするか、ファインダー光学系をペンタプリズムに近接して配置すればよい。
【０００７】
しかし、この様な構成にすると、ファインダー射出面がカメラの背面に対して奥まってしまい、目をレンズに近づけることが困難となり、ファインダー像を確認しようとした際、視野全体を観察することが困難となってしまう。
【０００８】
ペンタプリズムを小型化することは、高い視野率を確保することと相反する。さらに、ファインダー光路中にファインダー内表示の為の光学系や測光の為の光学系を組み込むことが必要となってきており、ペンタプリズムは大型化の傾向がみられる。
【０００９】
そこで、焦点板と接眼レンズの光路長を短くする為に、より接眼レンズの主点位置を焦点板側に配置することで、より大きな観察倍率を得ることができるファインダー光学系が特許文献１に開示されている。
【００１０】
一方、アイレリーフを十分長くする為には、一般的にはペンタプリズムを大きくし、ペンタプリズムによる光線のケラレを極力少なくすることが必要となる。しかしペンタプリズムを大きくすると、焦点板から接眼レンズまでの光路長が長くなり、ファインダー光学系の観察倍率は小さくなってしまう。
【００１１】
このように一眼レフカメラのファインダー光学系において、ファインダー光学系の観察倍率を大きくしつつアイレリーフ距離を十分長くすることは相反する内容となる。
【００１２】
なお、アイレリーフとはファインダー光学系の最終レンズからアイポントまでの距離を意味するが、観察者にとってより重要なのは、一眼レフカメラの背面からアイポントまでの距離であることが多い。
【００１３】
このカメラ背面からアイポントまでの値が大きい程アイレリーフの数値以上に良好なファインダーと言うことが可能となる。この値を大きくする為には、ファインダー光学的にはペンタプリズム射出面からアイポントまでの距離を大きくすることが必要となる。
【００１４】
ところで、一般に一眼レフカメラのファインダー光学系では、観察者に合わせて視度を変更することを可能とする視度補正機構を搭載することの要望が大きい。視度補正機構を搭載したものとして、接眼レンズを複数枚のレンズで構成し、この一部のレンズを光軸方向に移動させることにより視度補正を可能としたファインダー光学系が特許文献２に開示されている。
【００１５】
本発明は上記課題を解決し、加工コストを抑え、観察倍率が大きく、ペンタプリズム射出面からアイポイントまでの距離が長く、視度補正機構を搭載した良好なファインダー光学系を提供することを目的とする。
【課題を解決するための手段】
【００１６】
上記目的を達成するために、本発明を実施のファインダー光学系は、対物レンズによって形成された像を、正立像形成用の光学系を介して接眼レンズにより観察する構成において、接眼レンズは物体側から順に、１枚の負の屈折力のレンズからなる第１レンズ群、光軸方向に移動させることで視度補正を行う１枚の正の屈折力のレンズからなる第２レンズ群、正の屈折力の第３レンズ群からなり、第３レンズ群は物体側から順に正の屈折力のレンズと、瞳側に凹面を向けた負メニスカスレンズから構成され、以下の条件式を満足することを特徴とする。
（１）−１．１＜ｆ１／ｆ＜−０．６
（２）−４．０＜ｆ３ｎ／ｆ＜−１．２
但し、第１レンズ群の焦点距離をｆ１、第３群の負メニスカスレンズの焦点距離をｆ３ｎ、視度が−１ｐｔ時のファインダー光学系全系の焦点距離をｆとする。
【００１７】
さらに本発明を実施のファインダー光学系は、上記発明において、第３レンズ群の正レンズの物体側の面は非球面となっており、以下の条件式を満足することを特徴とする。
（３）−９．０＜Ｈｍａｘ／ｓａｇ３ｐ＜−５．０
但し、第３レンズ群の正レンズの非球面側の最大光線高をＨｍａｘ、正レンズの非球面側の最大光線高Ｈｍａｘでの近軸球面と非球面の光軸方向のズレ量をｓａｇ３ｐとする。
【００１８】
さらに本発明を実施のファインダー光学系は、上記発明において、第３レンズ群の負メニスカスレンズの物体側の面は非球面となっており、以下の条件式を満足することを特徴とする。
（４）８．５＜Ｈｍａｘ/ｓａｇ３ｎ＜１２．０
但し、第３レンズ群の負メニスカスレンズの非球面側の最大光線高をＨｍａｘ、負メニスカスレンズの非球面側の最大光線高Ｈｍａｘでの近軸球面と非球面の光軸方向のズレ量をｓａｇ３ｎとする。
【００１９】
さらに本発明を実施のファインダー光学系は、上記発明において、接眼レンズを構成する各レンズはプラスチック材料により形成されることを特徴とする。
【発明の効果】
【００２０】
本発明を実施のファインダー光学系によれば、観察倍率が大きく、焦点板から観察光学系までの距離を十分長くとることが出来、廉価なファインダーを提供することを目的とする。
【図面の簡単な説明】
【００２１】
【図１】本発明のファインダー光学系の実施例１に係るレンズ構成である。
【図２】実施例１において視度が−１ｄｐｔ時の収差図である。
【図３】実施例１において視度が−３ｄｐｔ時の収差図である。
【図４】実施例１において視度が＋１．５ｄｐｔ時の収差図である。
【図５】本発明のファインダー光学系の実施例２に係るレンズ構成である。
【図６】実施例２において視度が−１ｄｐｔ時の収差図である。
【図７】実施例２において視度が−３ｄｐｔ時の収差図である。
【図８】実施例２において視度が＋１．５ｄｐｔ時の収差図である。
【図９】本発明のファインダー光学系の実施例３に係るレンズ構成である。
【図１０】実施例３において視度が−１ｄｐｔ時の収差図である。
【図１１】実施例３において視度が−３ｄｐｔ時の収差図である。
【図１２】実施例３において視度が＋１．５ｄｐｔ時の収差図である。
【図１３】本発明のファインダー光学系の実施例４に係るレンズ構成である。
【図１４】実施例４において視度が−１ｄｐｔ時の収差図である。
【図１５】実施例４において視度が−３ｄｐｔ時の収差図である。
【図１６】実施例４において視度が＋１．５ｄｐｔ時の収差図である。
【発明を実施するための形態】
【００２２】
本発明を実施のファインダー光学系は、図１、図５、図９、図１３の４つの実施例に示すように、物体側から順に、スーパーインポーズの光を瞳に導くＳＩ板１、不図示の対物レンズで形成された倒立像を正立像に変換する光学部材であるペンタプリズム２、接眼レンズ３から構成されている。
【００２３】
接眼レンズ３は物体側から順に、１枚の負の屈折力のレンズＬ１からなる第１レンズ群Ｇ１、光軸方向に移動させることで視度補正を行う１枚の正の屈折力のレンズＬ２からなる第２レンズ群Ｇ２、正の屈折力の第３レンズ群Ｇ３から構成されている。
【００２４】
これにより、接眼レンズ３の主点を焦点板に近づけることが出来、焦点板から接眼レンズ３までの距離を十分に確保しても、接眼レンズ３の焦点距離を短くすることが可能となり、観察倍率が大きいファインダー光学系を得ることが出来る。
【００２５】
また、第３レンズ群Ｇ３は物体側から順に正の屈折力のレンズＬ３と、瞳側に凹面を向けた負メニスカスレンズＬ４から構成されている。
【００２６】
第３レンズ群Ｇ３の正レンズＬ３を第２レンズ群Ｇ２と近接させることにより、可動群である第２レンズ群Ｇ２の屈折力を抑えることが可能となり、第２レンズ群Ｇ２が製造誤差等で多少のレンズ位置ズレを起こしても視度が大幅に変わってしまうことを防ぐことが出来る。また、第２レンズ群Ｇ２で発生する収差量を抑えることが可能となる。
【００２７】
さらに、本発明のファインダー光学系は条件式（１）および（２）を満たす。
【００２８】
条件式（１）は第１レンズ群Ｇ１の焦点距離ｆ１と、ファインダー光学系全系の焦点距離ｆの比を表わしている。条件式（１）を満足することにより、ペンタプリズム２の射出面からの光束を発散させるのに適切な屈折力が得られる。
【００２９】
条件式（１）の下限を超えると第１レンズ群Ｇ１の屈折力が弱くなり、ペンタプリズム２の射出面での光線高を高くする必要が生じる。これはペンタプリズム２の大型化につながり、小型で行おうとするとファインダー周辺部の光束を接眼レンズ３やアイポントＥＰに十分に導くことが困難となる。条件式（１）の上限を超えると第１レンズ群Ｇ１の屈折力が強くなり、第２レンズ群Ｇ２へ射出する光線高が高くなる為接眼レンズ３の大型化につながる。また、非点収差、コマ収差の補正が困難となる。
【００３０】
条件式（２）は第３レンズ群Ｇ３中の負メニスカスレンズＬ４の焦点距離ｆ３ｎと、ファインダー光学系全系の焦点距離ｆの比を表わしている。条件式（２）を満足することにより、高い観察倍率を維持しながら十分な長さのアイレリーフを確保することが可能となる。
【００３１】
条件式（２）の下限を超えると第３レンズ群Ｇ３中の負メニスカスレンズＬ４の屈折力が弱くなり、接眼レンズ３の主点位置が焦点板から離れてしまい、高い観察倍率を維持することが困難となる。条件式（２）の上限を超えると第３レンズ群Ｇ３中の負メニスカスレンズＬ４の屈折力が強くなり、十分な長さのアイレリーフを確保するのが困難となる。
【００３２】
さらに本発明のファインダー光学系では、第３レンズ群Ｇ３の正レンズＬ３の物体側の面を非球面とし、条件式（３）を満たすことが望ましい。
【００３３】
条件式（３）は第３レンズ群Ｇ３中の正レンズＬ３の非球面形状を表している。条件式（３）を満足することにより、接眼レンズ径の大型化を抑えることが可能となる。
【００３４】
条件式（３）の下限を超えると非球面周辺部での正の屈折力が弱くなり、第２レンズ群Ｇ２でのファインダー周辺部の光線高が高くなってしまう。周辺部の光線を十分に確保しようとすると、必然的にペンタプリズムや接眼レンズ径の大型化につながり、小型で行おうとするとファインダー周辺部の光束を接眼レンズ３やアイポントＥＰに十分に導くことが困難となる。条件式（３）の上限を超えると非球面周辺部での正の屈折力が強くなり、レンズ中心と周辺部での偏肉が大きくなる為、レンズの加工精度が悪くなる。
【００３５】
さらに本発明のファインダー光学系では、第３レンズ群Ｇ３の負メニスカスレンズＬ４の物体側の面を非球面とし、条件式（４）を満たすことが望ましい。
【００３６】
条件式（４）は第３レンズ群Ｇ３中の負メニスカスレンズＬ４の非球面形状を表している。条件式（４）を満足することにより、ペンタプリズム２の大型化を抑えることが可能となる。
【００３７】
条件式（４）の下限を超えると非球面周辺部での負の屈折力が強くなり、レンズ周辺部の面形状の変化量が大きくなり、レンズの加工精度が悪くなる。条件式（４）の上限を超えると非球面周辺部での負の屈折力が弱くなる。撮像素子の大型化に伴い、焦点板位置での周辺光束位置も高くなる傾向にあるカメラに対応させるためには、第１レンズ群Ｇ１の屈折力を強くする必要が生じ、その結果、第２レンズ群Ｇ２へ射出する光線高が高くなる為接眼レンズ３の大型化につながる。
【００３８】
さらに本発明のファインダー光学系では、接眼レンズ３を構成する各レンズをプラスチック材料により形成することが望ましい。これにより、廉価なファインダー光学系を提供することが可能となる。また、接眼レンズを構成する各レンズの成型及び非球面加工が容易となる。
【００３９】
次に、本発明のファインダー光学系に係る実施例のレンズ構成について説明する。なお、以下の説明ではレンズ構成を物体側から瞳側の順番で記載する。
【実施例１】
【００４０】
図１は、本発明の実施例１のファインダー光学系のレンズ構成図である。
【００４１】
接眼レンズ３の第１レンズ群Ｇ１は両凹形状の負レンズＬ１で構成されている。
【００４２】
接眼レンズ３の第２レンズ群Ｇ２は両凸形状の正レンズＬ２で構成されている。この第２レンズ群Ｇ２は、視度補正に際して光軸に沿って移動する。
【００４３】
接眼レンズ３の第３レンズ群Ｇ３は、物体側に凸面を向けたメニスカス形状の正レンズＬ３と、瞳側に凹面を向けたメニスカス形状の負レンズＬ４で構成されている。
【００４４】
また、第３レンズ群Ｇ３の正レンズＬ３の物体側の面と負レンズＬ４の物体側の面の他にも、第１レンズ群Ｇ１の負レンズＬ１の物体側の面と第２レンズ群Ｇ２の正レンズＬ２の物体側の面が非球面形状となっている。
【実施例２】
【００４５】
図５は、本発明の実施例２のファインダー光学系のレンズ構成図である。
【００４６】
接眼レンズ３の第１レンズ群Ｇ１は両凹形状の負レンズＬ１で構成されている。
【００４７】
接眼レンズ３の第２レンズ群Ｇ２は両凸形状の正レンズＬ２で構成されている。この第２レンズ群Ｇ２は、視度補正に際して光軸に沿って移動する。
【００４８】
接眼レンズ３の第３レンズ群Ｇ３は、物体側に凸面を向けたメニスカス形状の正レンズＬ３と、瞳側に凹面を向けたメニスカス形状の負レンズＬ４で構成されている。
【００４９】
また、第３レンズ群Ｇ３の正レンズＬ３の物体側の面と負レンズＬ４の物体側の面の他にも、第１レンズ群Ｇ１の負レンズＬ１の物体側の面と第２レンズ群Ｇ２の正レンズＬ２の物体側の面が非球面形状となっている。
【実施例３】
【００５０】
図９は、本発明の実施例３のファインダー光学系のレンズ構成図である。
【００５１】
接眼レンズ３の第１レンズ群Ｇ１は瞳側に凸面を向けたメニスカス形状の負レンズＬ１で構成されている。
【００５２】
接眼レンズ３の第２レンズ群Ｇ２は両凸形状の正レンズＬ２で構成されている。この第２レンズ群Ｇ２は、視度補正に際して光軸に沿って移動する。
【００５３】
接眼レンズ３の第３レンズ群Ｇ３は、両凸形状の正レンズＬ３と、瞳側に凹面を向けたメニスカス形状の負レンズＬ４で構成されている。
【００５４】
また、第３レンズ群Ｇ３の正レンズＬ３の物体側の面と負レンズＬ４の物体側の面の他にも、第１レンズ群Ｇ１の負レンズＬ１の瞳側の面と第２レンズ群Ｇ２の正レンズＬ２の物体側の面が非球面形状となっている。
ている。
【実施例４】
【００５５】
図１３は、本発明の実施例４のファインダー光学系のレンズ構成図である。
【００５６】
接眼レンズ３の第１レンズ群Ｇ１は両凹形状の負レンズＬ１で構成されている。
【００５７】
接眼レンズ３の第２レンズ群Ｇ２は両凸形状の正レンズＬ２で構成されている。この第２レンズ群Ｇ２は、視度補正に際して光軸に沿って移動する。
【００５８】
接眼レンズ３の第３レンズ群Ｇ３は、物体側に凸面を向けたメニスカス形状の正レンズＬ３と、瞳側に凹面を向けたメニスカス形状の負レンズＬ４で構成されている。
【００５９】
また、第３レンズ群Ｇ３の正レンズＬ３の物体側の面と負レンズＬ４の物体側の面の他にも、第１レンズ群Ｇ１の負レンズＬ１の物体側の面と瞳側の面と第２レンズ群Ｇ２の正レンズＬ２の物体側の面が非球面形状となっている。
【００６０】
以下、上述した各実施例に対応する数値実施例についての説明を行う。
【００６１】
［焦点距離］中のｆは焦点距離を表す。
【００６２】
［レンズ諸元］中の第１列の番号は物体側からのレンズ面の番号、第２列ｒはレンズ面の曲率半径、第３列ｄはレンズ面間隔、第４列ｎｄはｄ線（波長λ＝５８７．５６ｍｍ）に対する屈折率、第５列νｄはｄ線に対するアッベ数、第６列は光線高、を示す。面番号右側の※はその面が非球面であることを表している。
【００６３】
［可変間隔］は視度補正における各可変間隔の値を示す。
【００６４】
［条件式対応値］は実施例における各条件式の値を示す。
【００６５】
［非球面係数］は、［レンズ諸元］において※を付したレンズ面の非球面形状を与える非球面係数を示している。非球面の形状は、光軸に直行する方向への光軸からの変位をｙ、非球面と光軸の交点から光軸方向への変位（サグ量）をｚ、基準球面の曲率半径をｒ、コーニック係数をＫ、４、６、８、１０次の非球面係数をＡ４、Ａ６、Ａ８、Ａ１０と置くとき、非球面の座標が以下の式で表されるものとする。
【００６６】
0005714350.tif 000002
【００６７】
なお、以下の全ての諸元の値において、記載している焦点距離ｆ、曲率半径ｒ、レンズ面間隔ｄ、その他の長さの単位は特記のない場合ミリ（ｍｍ）を使用するが、光学系では比例拡大と比例縮小とにおいても同等の光学性能が得られるので、これに限られるものではない。また、これらの符号は以降の他の実施例においても同様であり説明は省略する。
【００６８】
各実施例の収差図は、アイポイント位置に焦点距離１５ｍｍの理想レンズを置いたときの収差を表している。ΔＭ、ΔＳはそれぞれサジタル像面、メリジオナル像面であり、また、Ｈは瞳径、Ｙは像高を示している。
【００６９】
実施例1
[焦点距離]
f                       54.49          58.64          50.43
[レンズ諸元]
r             d            nd          νd       有効光線高
[1]                ∞        0.3400
[2]                ∞        1.0000       1.49175       57.45
[3]                ∞        1.4600
[4]                ∞       67.3000       1.51680       64.20
[5]                ∞        3.3800
[6]※        -41.9000        3.0000       1.58250       29.86          11.00
[7]           99.7500            d7                                    11.00
[8]※         17.9300        5.0000       1.49175       57.45          12.40
[9]         -600.0000            d9                                    12.40
[10]※        35.5400        5.0000       1.49175       57.45          12.40
[11]         100.0000        2.1660                                    12.00
[12]※        22.2300        6.0000       1.58250       29.86          10.30
[13]          17.0000       18.0000                                     7.90
[14]               ∞                                                   3.50
[可変間隔]
視度                    -1.02          -3.14           1.53
d7                     2.5892         1.0000         4.3726
d9                     2.7833         4.3726         1.0000
[条件式対応値]
条件式(1)      条件式(2)      条件式(3)      条件式(4)
f1／f         f3n／f       Hmax／sag3p    Hmax／sag3n
条件範囲        -1.1＜x＜-0.6  -4.0＜x＜-1.2    -9＜x＜-5    8.5＜x＜12.0
実施例1             -0.92          -3.93          -5.32          9.39
[非球面係数]
第6面          第8面         第10面         第12面
K                      10.9882        -1.0409         2.8137        -6.8031
A4                  2.4639E-05    -2.3143E-05     4.7643E-05     1.2737E-05
A6                 -3.3857E-08     5.7454E-08     1.7524E-07    -6.4461E-07
A8                  1.0557E-09    -8.4998E-10    -8.4098E-10     1.7695E-10
A10                 5.2375E-12                    9.0114E-12     9.4407E-12
【００７０】
実施例2
[焦点距離]
f                       54.50          58.48          50.55
[レンズ諸元]
r             d            nd          νd       有効光線高
[1]                ∞        0.3400
[2]                ∞        1.0000       1.49175       57.45
[3]                ∞        1.4600
[4]                ∞       67.3000       1.51680       64.20
[5]                ∞        3.1500
[6]※        -48.9900        4.1900       1.58250       29.86          11.00
[7]           80.9600            d7                                    11.00
[8]※         17.7300        5.0000       1.49175       57.45          12.20
[9]         -600.0000            d9                                    12.20
[10]※        33.3700        5.0000       1.49175       57.45          12.00
[11]         100.0000        1.1800                                    11.50
[12]※        24.1900        6.0000       1.58250       29.86          10.40
[13]          17.0000       18.0000                                     7.90
[14]               ∞                                                   3.50
[可変間隔]
視度                    -1.02          -3.15           1.53
d7                     2.6061         1.0000         4.4253
d9                     2.8192         4.4253         1.0000
[条件式対応値]
条件式(1)      条件式(2)      条件式(3)      条件式(4)
f1／f         f3n／f       Hmax／sag3p    Hmax／sag3n
条件範囲        -1.1＜x＜-0.6  -4.0＜x＜-1.2    -9＜x＜-5    8.5＜x＜12.0
実施例2             -0.95          -2.59          -5.26          8.91
[非球面係数]
第6面          第8面         第10面         第12面
K                       14.933        -1.0768         4.8955         -6.654
A4                  2.3851E-05    -2.1722E-05     4.2557E-05    -7.5204E-06
A6                 -1.2892E-07     1.0536E-07     2.0221E-07    -6.5347E-07
A8                  2.0953E-09    -1.1745E-09    -1.5784E-09     1.3063E-09
A10                 2.5906E-13                    1.3025E-11     5.2747E-12
【００７１】
実施例3
[焦点距離]
f                       54.32          57.90          50.71
[レンズ緒元]
r             d            nd          νd       有効光線高
[1]                ∞        0.3400
[2]                ∞        1.0000       1.49175       57.45
[3]                ∞        1.4600
[4]                ∞       67.3000       1.51680       64.20
[5]                ∞        4.1700
[6]          -32.0900        2.0000       1.58250       29.86          11.70
[7]※     -47551.8100            d7                                    12.20
[8]※         20.6400        7.0500       1.49175       57.45          13.40
[9]          -74.6200            d9                                    13.40
[10]※        45.6100        4.8900       1.49175       57.45          12.00
[11]        -184.0000        0.3000                                    12.00
[12]※        28.0000        6.0000       1.58250       29.86          11.00
[13]          15.2900       19.5000                                     8.20
[14]               ∞                                                   3.50
[可変間隔]
視度                    -1.02          -3.15           1.53
d7                     2.6710         1.0000         4.5853
d9                     2.9143         4.5853         1.0000
[条件式対応値]
条件式(1)      条件式(2)      条件式(3)      条件式(4)
f1／f         f3n／f       Hmax／sag3p    Hmax／sag3n
条件範囲        -1.1＜x＜-0.6  -4.0＜x＜-1.2    -9＜x＜-5    8.5＜x＜12.0
実施例3             -1.01          -1.29          -8.86         11.73
[非球面係数]
第7面          第8面         第10面         第12面
K                      0.0000        -1.0197         1.2095        -3.0019
A4                 -1.0116E-05    -4.8217E-05     7.8524E-05    -3.9593E-05
A6                  1.3611E-07     2.6034E-07    -1.7753E-07    -2.4481E-07
A8                 -4.9825E-10    -6.9572E-10     5.0938E-10     1.4535E-09
【００７２】
実施例4
[焦点距離]
f                       54.47          59.19          49.99
[レンズ諸元]
r             d            nd          νd       有効光線高
[1]                ∞        0.3400
[2]                ∞        1.0000       1.49175       57.45
[3]                ∞        1.4600
[4]                ∞       67.3000       1.51680       64.20
[5]                ∞        3.7600
[6]※        -28.5100        2.3500       1.58250       29.86          11.20
[7]※         99.1900            d7                                    11.20
[8]※         18.8800        6.0000       1.49175       57.45          12.70
[9]          -84.9500            d9                                    12.70
[10]※        23.5900        6.6000       1.49175       57.45          12.00
[11]         183.1600        1.0000                                    11.50
[12]※        32.5700        5.8000       1.58250       29.86          10.50
[13]          17.0000       18.0000                                     7.90
[14]               ∞                                                   3.50
[可変間隔]
視度                    -1.01          -3.14           1.54
d7                     2.1764         1.0000         3.4809
d9                     2.3045         3.4809         1.0000
[条件式対応値]
条件式(1)      条件式(2)      条件式(3)      条件式(4)
f1／f         f3n／f       Hmax／sag3p    Hmax／sag3n
条件範囲        -1.1＜x＜-0.6  -4.0＜x＜-1.2    -9＜x＜-5    8.5＜x＜12.0
実施例4             -0.69          -1.29          -7.62          9.88
[非球面係数]
第6面         第7面         第8面        第10面        第12面
K            3.8769       24.8459       -1.0421       -0.2133      -28.6734
A4        2.7604E-05    1.7089E-06   -2.3980E-05    4.9740E-05    2.9958E-05
A6        4.9126E-08    6.3108E-08    2.0602E-07   -1.0438E-07   -1.0362E-06
A8        2.6138E-09    7.8731E-10   -1.6951E-09    2.0645E-09    3.0890E-09
A10                                   3.3611E-12    3.4128E-13    6.3937E-12
【符号の説明】
【００７３】
１      ＳＩ板
２      ペンタプリズム
３      接眼レンズ
Ｌ１    第１レンズ
Ｌ２    第２レンズ
Ｌ３    第３レンズ
Ｌ４    第４レンズ
Ｇ１    第１レンズ群
Ｇ２    第２レンズ群
Ｇ３    第３レンズ群
ＥＰ    アイポイント
【図１】
0005714350.tif 000003
【図２】
0005714350.tif 000004
【図３】
0005714350.tif 000005
【図４】
0005714350.tif 000006
【図５】
0005714350.tif 000007
【図６】
0005714350.tif 000008
【図７】
0005714350.tif 000009
【図８】
0005714350.tif 000010
【図９】
0005714350.tif 000011
【図１０】
0005714350.tif 000012
【図１１】
0005714350.tif 000013
【図１２】
0005714350.tif 000014
【図１３】
0005714350.tif 000015
【図１４】
0005714350.tif 000016
【図１５】
0005714350.tif 000017
【図１６】
0005714350.tif 000018